(57)【特許請求の範囲】
【請求項１】
画像データに対して、該画像データの色度値および輝度値の少なくともいずれかを用いる第１の画像処理または該画像データにフィルタ処理を行う第２の画像処理を選択的に行う画像処理手段と、
前記画像データに対して第１の変換処理を行う第１の変換手段と、
前記第１の画像処理が選択された場合には前記第１の変換処理の前に該第１の画像処理を行い、前記第２の画像処理が選択された場合には該第１の変換処理の後に該第２の画像処理を行うように前記画像処理手段および前記第１の変換手段を制御する制御手段と、
前記画像処理手段および前記第１の変換手段による処理が行われた後の画像データに対して第２の変換処理を行う第２の変換手段と、
を有し、
前記第１の変換処理は、印刷手段のインク特性に応じて前記画像データの色度値および輝度値の少なくともいずれかを変更する処理であり、前記第２の変換処理は、前記印刷手段のインクのカラーに応じた形式に前記画像データを変更する処理であることを特徴とする画像処理装置。
【請求項２】
前記第１の画像処理は、前記画像データに対して非線形的な画像処理であることを特徴とする請求項１に記載の画像処理装置。
【請求項３】
前記第１の画像処理は、前記画像データの色度値及び輝度値の少なくとも１つの情報を取得する解析処理であることを特徴とする請求項１または２に記載の画像処理装置。
【請求項４】
前記第２の画像処理は、
前記画像データを縮小して縮小画像を生成し、
前記縮小画像を拡大して拡大画像を生成し、
前記画像データと前記拡大画像とを合成する、ことを特徴とする請求項１乃至３のいずれか１項に記載の画像処理装置。
【請求項５】
請求項１乃至４のいずれか１項に記載の画像処理装置と、
前記画像処理装置から出力された前記画像データを表示する表示手段と、を有することを特徴とする画像表示装置。
【請求項６】
請求項１乃至４のいずれか１項に記載の画像処理装置と、
前記印刷手段を有し、
前記印刷手段が前記画像処理装置から出力された前記画像データを印刷することを特徴とする印刷装置。
【請求項７】
前記第２の変換処理は、ＹＣｂＣｒ形式の画像データをＹＭＣ形式の印刷データに変換する処理であることを特徴とする請求項６に記載の印刷装置。
【請求項８】
前記印刷手段が前記画像データに対してミニチュア印刷を行う場合、前記画像処理手段は前記第２の画像処理を行うことを特徴とする請求項６または７に記載の印刷装置。
【請求項９】
画像データに対して、該画像データの色度値および輝度値の少なくともいずれかを用いる第１の画像処理または該画像データにフィルタ処理を行う第２の画像処理を選択的に設定するステップと、
前記画像データに対して、選択された前記第１の画像処理または前記第２の画像処理を行うステップと、
前記画像データに対して第１の変換処理を行うステップと、
前記第１の画像処理または前記第２の画像処理、および、前記第１の変換処理が行われた後の画像データに対して第２の変換処理を行うステップを情報処理装置に実行させる画像処理プログラムであって、
前記第１の画像処理が選択された場合には前記第１の変換処理の前に該第１の画像処理を行い、前記第２の画像処理が選択された場合には該第１の変換処理の後に該第２の画像処理を行い、
前記第１の変換処理は、印刷手段のインク特性に応じて前記画像データの色度値および輝度値の少なくともいずれかを変更する処理であり、前記第２の変換処理は、前記印刷手段のインクのカラーに応じた形式に前記画像データを変更する処理であることを特徴とする画像処理プログラム。
【請求項１０】
画像データに対して、該画像データにおける被写体の肌に対応する色を抽出する肌処理または前記画像データを前記画像データの中心領域から周囲に向けてぼかすミニチュア処理を選択的に行う画像処理手段と、
前記画像データに対して第１の変換処理を行う第１の変換手段と、
前記肌処理が選択された場合には前記第１の変換処理の前に該肌処理を行い、前記ミニチュア処理が選択された場合には該第１の変換処理の後に該ミニチュア処理を行うように前記画像処理手段および前記第１の変換手段を制御する制御手段と、
前記画像処理手段および前記第１の変換手段による処理が行われた後の画像データに対して第２の変換処理を行う第２の変換手段と、
を有し、
前記第１の変換処理は、印刷手段のインク特性に応じて前記画像データの色度値および輝度値の少なくともいずれかを変更する処理であり、前記第２の変換処理は、前記印刷手段のインクのカラーに応じた形式に前記画像データを変更する処理であることを特徴とする画像処理装置。
【発明の詳細な説明】
【技術分野】
【０００１】
本発明は、画像に特殊効果を施す画像処理装置に関する。
【背景技術】
【０００２】
近年、画像に対して種々の特殊効果を施す画像処理装置が提案されている。例えば、注目領域以外に対して高強度のローパスフィルタなどを施すか、または、画像の拡大縮小処理で画像の帯域を落とすことにより、至近距離からミニチュアを撮影しているような特殊効果を得ることが可能なミニチュア撮影がある。同様に、印刷装置（プリンタ）においても、ミニチュア撮影を行っていない画像に対して同様の効果が得られるような特殊印刷（いわゆるミニチュア印刷）なども提案されている。
【０００３】
しかしながら、このような特殊撮影や特殊印刷などの特殊効果を得るには、高強度のフィルタリング処理を行う必要がある。このため、このようなフィルタリング処理後に色空間変換処理を行うと、トーンジャンプが発生する。そこで特許文献１には、色空間変換処理の前後において画像のエッジを検出し、色空間変換処理の前後の画像を比較することによりトーンジャンプの検出および修正を行う画像処理装置が開示されている。
【先行技術文献】
【特許文献】
【０００４】
【特許文献１】特開２００１−３６７５６号公報
【発明の概要】
【発明が解決しようとする課題】
【０００５】
しかしながら、特許文献１に開示された画像処理装置では、色空間変換の前後において画像に対してエッジ検出を行うため、多大な処理時間が必要となる。
【０００６】
そこで本発明は、簡易な画像処理方法で高画質を得ることが可能な画像処理装置、画像表示装置、印刷装置、および、画像処理プログラムを提供する。
【課題を解決するための手段】
【０００７】
本発明の一側面としての画像処理装置は、画像データに対して、該画像データの色度値および輝度値の少なくともいずれかを用いる第１の画像処理または該画像データにフィルタ処理を行う第２の画像処理を選択的に行う画像処理手段と、前記画像データに対して第１の変換処理を行う第１の変換手段と、前記第１の画像処理が選択された場合には前記第１の変換処理の前に該第１の画像処理を行い、前記第２の画像処理が選択された場合には該第１の変換処理の後に該第２の画像処理を行うように前記画像処理手段および前記第１の変換手段を制御する制御手段と、前記画像処理手段および前記第１の変換手段による処理が行われた後の画像データに対して第２の変換処理を行う第２の変換手段と、を有し、前記第１の変換処理は、印刷手段のインク特性に応じて前記画像データの色度値および輝度値の少なくともいずれかを変更する処理であり、前記第２の変換処理は、前記印刷手段のインクのカラーに応じた形式に前記画像データを変更する処理であることを特徴とする。
【０００８】
本発明の他の側面としての画像表示装置は、前記画像処理装置と、前記画像処理装置から出力された前記画像データを表示する表示手段とを有する。
【０００９】
本発明の他の側面としての印刷装置は、前記画像処理装置と、前記画像処理装置から出力された前記画像データを印刷する印刷手段とを有する。
【００１０】
本発明の他の側面としての画像処理プログラムは、画像データに対して、該画像データの色度値および輝度値の少なくともいずれかを用いる第１の画像処理または該画像データにフィルタ処理を行う第２の画像処理を選択的に設定するステップと、前記画像データに対して、選択された前記第１の画像処理または前記第２の画像処理を行うステップと、前記画像データに対して第１の変換処理を行うステップと、前記第１の画像処理または前記第２の画像処理、および、前記第１の変換処理が行われた後の画像データに対して第２の変換処理を行うステップを情報処理装置に実行させる画像処理プログラムであって、前記第１の画像処理が選択された場合には前記第１の変換処理の前に該第１の画像処理を行い、前記第２の画像処理が選択された場合には該第１の変換処理の後に該第２の画像処理を行い、前記第１の変換処理は、印刷手段のインク特性に応じて前記画像データの色度値および輝度値の少なくともいずれかを変更する処理であり、前記第２の変換処理は、前記印刷手段のインクのカラーに応じた形式に前記画像データを変更する処理であることを特徴とする。
【００１１】
本発明の他の目的及び特徴は、以下の実施例において説明される。
【発明の効果】
【００１２】
本発明によれば、簡易な画像処理方法で高画質を得ることが可能な画像処理装置、画像表示装置、印刷装置、および、画像処理プログラムを提供することができる。
【図面の簡単な説明】
【００１３】
【図１】本実施例における印刷装置の印刷処理システムのブロック図である。
【図２】本実施例における印刷装置の動作を示すフローチャートである。
【図３】本実施例における印刷装置で設定可能な特殊印刷効果とそれに対応して用いられる制御手段の関係図である。
【図４】本実施例における画像処理による色度座標の変化を示す図である。
【図５】本実施例における第２の制御方法の説明図である。
【発明を実施するための形態】
【００１４】
以下、本発明の実施例について、図面を参照しながら詳細に説明する。各図において、同一の部材については同一の参照番号を付し、重複する説明は省略する。
【００１５】
まず、図１を参照して、本実施例における昇華型プリンタ（印刷装置）の構成について説明する。図１は、プリンタ１００（印刷装置）の印刷処理システムのブロック図である。プリンタ１００は、後述の画像処理を行う画像処理装置を備えて構成される。１０１は、各種のメモリーカードをセットするカードリーダ（画像取得手段）である。カードリーダ１０１は、メモリーカードに記録された画像データ（例えばＪＰＥＧ画像）を読み出し可能に構成されている。１０２は、ＲＯＭ（不揮発性メモリ）である。ＲＯＭ１０２には、プリンタ１００を制御するプログラム（画像処理プログラム）が格納されている。１０３は、プリンタ１００の全体を制御するシステム制御部（制御手段）である。システム制御部１０３は、ＲＯＭ１０２に格納されたプログラムに従ってプリンタ１００の全体の制御を行う。１０４は、ＲＡＭ（揮発性メモリ）である。ＲＡＭ１０４は、カードリーダ１０１から読み出された画像データを保持する。
【００１６】
１０５は、画像処理部（画像処理手段）である。画像処理部１０５は、カードリーダ１０１から読み出された画像データ（ＪＰＥＧ画像）の伸張処理を行う。なお、本実施例における伸張処理は、ＪＰＥＧ形式からＹＣｂＣｒ形式への変換である。また、画像処理部１０５は後述の画像処理も行う。すなわち画像処理部１０５は、画像データに対して、画像データの特性値を用いる第１の画像処理または画像データの特性値を用いない第２の画像処理を選択的に行う。画像データの特性値は、例えば画像データの色度値や輝度値である。また画像処理部１０５は、画像データに対して色空間変換処理を行う変換手段としての機能も有する。本実施例の画像処理装置は、少なくとも、システム制御部１０３および画像処理部１０５を備えて構成される。
【００１７】
１０６は、印刷画像生成部である。本実施例において、印刷装置としてのプリンタ１００は、昇華型の熱転写記録方式のプリンタであり、インクシートと用紙が一体になったインクカートリッジが採用される。インクシートは、印刷媒体の印画領域を覆い、そのサイズと略等しいサイズで、イエロー（Ｙ）、マゼンタ（Ｍ）、シアン（Ｃ）の各インク層とオーバーコート（ＯＣ）層とを並べて構成されている。各層ずつ熱転写して用紙を記録開始位置に戻し、用紙上に、順次重ねて転写される。このため、印刷画像生成部１０６は、画像処理部１０５で生成されたＹＣｂＣｒ形式の画像データからＹＭＣ形式の印刷データへの変換を行う。１０７は、印刷処理部である。印刷処理部１０７は、サーマルヘッドコントローラからサーマルヘッドにデータを転送することにより用紙に順次熱転写し、用紙を記録開始位置に戻して全色の印刷を行う。印刷画像生成部１０６および印刷処理部１０７により、画像処理装置から出力された画像データを印刷する印刷手段が構成される。
【００１８】
１０８は、画像表示部である。画像表示部１０８は、印画画像（印刷対象の画像データ）を選択可能に構成されている。画像表示部１０８は、画像処理装置から出力された画像データを表示する表示手段である。１０９は、ＵＩ操作部である。ＵＩ操作部１０９は、画像表示部１０８に表示されたメニュー画面などを操作する上下左右ボタンや印刷ボタンなどを備える。またＵＩ操作部１０９は、後述のような画像データに与えられる特殊効果を設定する設定手段である。
【００１９】
画像処理部１０５は、例えばＵＩ操作部１０９で設定された特殊効果に基づいて、第１の画像処理と第２の画像処理を選択的に行う。後述のように、システム制御部１０３は、第１の画像処理が選択された場合には色空間変換処理の前に第１の画像処理を行い、第２の画像処理が選択された場合には色空間変換処理の後に第２の画像処理を行うように画像処理部１０５を制御する。
【００２０】
次に、図２乃至図５を参照して、プリンタ１００の動作について説明する。図２は、プリンタ１００の動作を示すフローチャートであり、画像データが保存されているメモリーカードをカードリーダ１０１に差し込んだ時から印刷までの動作について示している。図２（ａ）〜（ｄ）の各ステップは、プリンタ１００のシステム制御部１０３の指令に基づいて実行される。
【００２１】
まず図２（ａ）のステップＳ２０１において、印刷設定を行う。本実施例では特殊印刷効果について選択する。図３は、プリンタ１００で設定可能な特殊印刷効果とそれに対応して用いられる制御手段の関係図である。図３に示されるように、本実施例では、「特殊印刷効果なし」、「美肌印刷」、「トイカメラ印刷」、「ソフトフォーカス印刷」、「ミニチュア印刷」の５つから特殊印刷効果の選択が可能である。ここでは、「特殊印刷効果なし」が選択されたものとする。
【００２２】
次にステップＳ２０２において、画像データを選択する。すなわち、メモリーカード内に保存されている画像データを画像表示部１０８に表示し、ＵＩ操作部１０９を用いて印刷対象の画像データを選択する。図４は、本実施例における画像処理による色度座標の変化を示す図である。ここでは、図４（ａ）に示されるように、空と山が写った画像データが選択されたものとする。続いてステップＳ２０３において、ステップＳ２０２にて選択された画像データの読み出しを行う。読み出された画像データは、画像処理部１０５により画像データの解凍処理が行われてＲＡＭ１０４に格納される。
【００２３】
次にステップＳ２０４において、ステップＳ２０１にて選択された特殊印刷効果（特殊効果）に応じた制御方法（画像処理）を選択する。本実施例では、図３に示されるように、特殊印刷効果に応じて２つの制御方法から１つの制御方法が選択される。「特殊印刷効果なし」、「美肌印刷」、「トイカメラ印刷」の場合には第１の制御方法（第１の画像処理）が選択され、「ソフトフォーカス印刷」、「ミニチュア印刷」の場合には第２の制御方法（第２の画像処理）が選択される。ここで、第１の制御方法は、図２（ｂ）のフローに従って画像処理部１０５により実行される。まずステップＳ２０８において、選択された特殊印刷効果に対応した各種の画像処理（第１の画像処理）を行う。続いてステップＳ２０９において、プリンタ１００（昇華型プリンタ）のヘッド特性やインク特性に対応した色空間変換処理を行う。第１の制御方法のように、色空間変換処理が各種の画像処理の後に行われる方法は、プリンタで一般的に用いられる。
【００２４】
昇華型プリンタのヘッド特性やインク特性に対応した色空間変換処理を各種の画像処理の前に行うと、色空間変換後の画像データは、色空間の変化により、画像データの色度値や輝度値などの特性値が色空間変換の前後で異なる。このため、例えば特殊印刷効果を「美肌印刷」に設定して人間の肌を抽出する処理を行う際、人間の肌の色値が色空間変換後に変化し、良好な抽出が困難になる。また、非線形的な色空間変換の場合には、所望な色空間変換が実行できないこともある。以上の理由により、図２（ｂ）に示されるように、色空間変換処理は一般的には各種の画像処理の後に行われる。本実施例では図３に示されるように、人間の肌の抽出処理を行う「美肌印刷」、および、非線形的な色空間変換が行われる「トイカメラ印刷」の場合、第１の制御方法が選択される。
【００２５】
一方、フィルタ処理等、画像データの特性値を用いない線形的な種画像処理は、色空間変換処理を行った後に行っても、画質に実質的な影響を与えない。このように色空間変換処理を行った後に各種の画像処理（第２の画像処理）を行う制御方法が、図２（ｃ）のフローに示される第２の制御方法である。第２の制御方法は、後述の理由により、「ミニチュア印刷」等の高強度のフィルタ処理や拡大縮小処理の前に色空間変換処理を行うことで発生するトーンジャンプを低減することができる。
【００２６】
このように本実施例では、画像データの特性値を参照する画像処理を行う場合には第１の制御方法を選択し、そのような画像処理を行わない場合には第２の制御方法を選択する。画像処理部１０５は、選択された制御方法を用いて画像処理を行う。これにより、画像データの特性値を参照する処理とトーンジャンプの発生を低減した「ミニチュア印刷」等を両立させることが可能となる。
【００２７】
図３に示されるように、本実施例では、画像データの特性値を用いずに行われるフィルタ処理（ジオラマ処理）や拡大縮小処理のみで構成された「ソフトフォーカス印刷」および「ミニチュア印刷」の場合、第２の制御方法が選択される。ここでは、ステップＳ２０１にて「特殊印刷効果なし」が選択されているため、ステップＳ２０５に進み、第１の制御方法が行われる。図２（ｂ）に示されるように、まず、ステップＳ２０８において各種の画像処理が行われる。各種の画像処理とは、ステップＳ２０１にて選択された特殊印刷効果に対応する画像処理である。「特殊印刷効果なし」の場合、特殊効果印刷を行わないため、何れの画像処理も行わずにステップＳ２０９へ進む。続いてステップＳ２０９において、昇華型プリンタのヘッド特性やインク特性に対応した色空間変換処理が行われ、ステップＳ２０７へ進む。ステップＳ２０７において、印刷画像生成部１０６は画像データをＣＭＹへ変換し、変換後のデータを印刷処理部１０７へ送る。そして印刷処理部１０７は、実際に印刷（印画処理）を行う。
【００２８】
次に、図２（ａ）中のステップＳ２０１の印刷設定において、「ミニチュア印刷」が選択された場合について説明する。「ミニチュア印刷」が選択された場合、図３に示されるように、ステップＳ２０４にて第２の制御方法が選択され、ステップＳ２０６へ進む。第２の制御方法は、図２（ｃ）のフローに従って画像処理部１０５により実行される。まずステップＳ２１０において、昇華型プリンタのヘッド特性やインク特性に対応した色空間変換処理が行われ、ステップＳ２１１へ進む。続いてステップＳ２１１において、各種の画像処理（第２の画像処理）が行われる。ここでは「ミニチュア印刷」が選択されているため、図２（ｄ）に示されるミニチュア処理用画像処理のシーケンスへ移る。
【００２９】
ミニチュア処理用画像処理では、まずステップＳ２１２において、色空間変換処理後の画像データＡ１を縮小して縮小画像（画像データＡ２）を生成する。続いてステップＳ２１３において、縮小画像（画像データＡ２）を拡大して拡大画像（画像データＡ３）を生成する。図５は第２の制御方法の説明図であり、図５（ａ）〜（ｃ）はそれぞれ第２の制御方法において作成された画像データＡ〜Ｃを示す。
【００３０】
続いてステップＳ２１４において、色空間変換処理後の画像データＡ１と拡大画像データ（画像データＡ３）を合成する。この合成処理を以下の式（１）を用いて行い、Ｂ［ｘ，ｙ］を作成する。
【００３１】
Ｂ［ｘ，ｙ］＝Ａ１［ｘ，ｙ］×Ｍｉｘ［ｙ］＋Ａ３［ｘ，ｙ］×（１−Ｍｉｘ［ｙ］）  …  （１）
ここで、ｘは画像データの水平方向ピクセル位置、ｙは画像データの垂直方向ピクセル位置である。Ｍｉｘ［ｙ］は、垂直方向ピクセル位置ｙに応じて図５（ｄ）に示されるように変化する画像データＡと画像データＡ３のＭｉｘ関数である。図５（ｄ）は、垂直方向ピクセル位置ｙとＭｉｘ比率（Ｍｉｘ［ｙ］）との関係図である。式（１）を用いた画像処理を行うことにより、図５（ｅ）に示されるような結果（領域）を得ることができる。
【００３２】
図５（ｅ）は、式（１）を用いた画像処理により得られる各領域を示す。図５（ｅ）において、「Ａ１領域」は元の画像データＡ１、「Ａ３領域」は画像データＡ１の縮小画像（画像データＡ２）を拡大して得られた画像データＡ３である。「Ａ３とＡ１の合成領域」は、式（１）を用いて画像データＡ１、Ａ３を合成処理して得られた領域である。このような画像処理により、中心領域では元の画像そのままであり、かつ中心領域から上下に向けて徐々にボケていくような画像を得ることができる。このような特殊印刷効果の処理を行って得られた画像は、被写界深度が浅くて至近距離から撮影したように、すなわちミニチュア模型を印刷したように見える。
【００３３】
図４（ａ）に示される画像データに対して強度の強いフィルタリング処理（例えばミニチュア処理）を行うと、空の青色の領域（図４（ｂ）中の点Ａ）と山の黄緑の領域（図４（ｂ）中の点Ｂ）の色が混ざった領域（図４（ｂ）の点Ｍ）が発生する。図４（ｃ）は、このときの点Ａ、Ｂ、Ｍそれぞれの色度座標上における点Ａ１、Ｂ１、Ｍ１を示している。図４（ｂ）中の点Ａから点Ｍ、点Ｂに至るまでの軌道Ｌの色度座標の変化を表しているのが図４（ｃ）に示される軌道Ｌ１である。また、このときの点Ａ１、Ｂ１、Ｍ１の色度値は、図４（ｇ）に示されるように、Ａ１（Ｌ，ａ＊，ｂ＊）＝（７５，−１４，１９）、Ｂ１（Ｌ，ａ＊，ｂ＊）＝（５５，−２，−３８）、Ｍ１（Ｌ，ａ＊，ｂ＊）＝（６５，−８，−１０）である。図４（ｃ）中の軌道Ｌ１からわかるように、点Ｍ１が点Ａ１と点Ｂ１の中間に存在しているため、点Ａ１から点Ｂ１に至るまで、色変化はなだらかでありトーンジャンプは発生しない。ここで、このような画像データに対して、空と山の彩度を強調する色空間変換処理を行うことを想定する。
【００３４】
図４（ｄ）は、第１の制御方法における色空間変換処理後の図４（ｂ）の点Ａ、Ｂ、Ｍの色度座標を示している。図４（ｃ）の点Ａ１、Ｂ１はそれぞれ点Ａ２、Ｂ１へ大きく移動し、点Ｍ１は点Ｍ２へ少しだけ移動する。このときの点Ａ２、Ｂ２、Ｍ２の色度値は、図４（ｇ）に示されるように、Ａ２（Ｌ，ａ＊，ｂ＊）＝（７５，−１７，２６）、Ｂ２（Ｌ，ａ＊，ｂ＊）＝（５５，−１０，−３７）、Ｍ２（Ｌ，ａ＊，ｂ＊）＝（６５，−９，−１１）となる。図４（ｄ）中の軌道Ｌ２は、点Ａ２から点Ｍ２、点Ｂ２に至るまでの色度座標上の軌道である。このように、図４（ｄ）中の軌道Ｌ２からわかるように、点Ａ２から点Ｍ２に向かうに従って彩度は落ち、点Ｂ２に向かうに従って彩度は上昇する。このように色が非直線的に変化する場合、ユーザにとってはトーンジャンプが発生しているように見える。
【００３５】
一方、図４（ｅ）、（ｆ）は、本実施例における第２の制御方法による処理を用いた場合における、図４（ｂ）の各点の色度座標の変化である。まずステップＳ２１０での色空間変換処理により、点Ａ、Ｂは、図４（ｅ）に示されるように、それぞれ点Ａ２、Ｂ２へ移動する。続いてステップＳ２１１での各種の画像処理（この場合、ミニチュア処理）によるフィルタリング処理で、点Ａと点Ｂが混ざった領域（点Ｍ）が境界に形成される（図４（ｂ））。図４（ｆ）は、図４（ｂ）の点Ａから点Ｍ、点Ｂに至るまでの色度座標上の軌道Ｌである。図４（ｇ）に示されるように、Ｍ２’の色度値は、Ｍ２’（Ｌ，ａ＊，ｂ＊）＝（６５，−１３，−５）となる。このため図４（ｆ）において、点Ａ２から点Ｂ２への軌道Ｌは直線的に変化している。このように、軌道Ｌは、各種の画像処理（ミニチュア処理）を行った後に色空間変換を行った場合の軌道Ｌ２（図４（ｄ））よりもなだらかに変化する（直線的に変化する）。このため、トーンジャンプの発生を効果的に低減することができる。
【００３６】
このように本実施例では、画像データに対して特殊効果を与えることが可能な画像処理装置（複数の画像処理を選択的に設定可能な画像処理装置）において、画像処理と色空間変換処理の実行順序を変えることができる。このため本実施例によれば、簡易な画像処理方法で高画質を得ることが可能な画像処理装置、画像表示装置、印刷装置、および、画像処理プログラムを提供することができる。
【００３７】
なお本実施例は「ミニチュア処理」を例として説明したが、これに限定されるものではない。図３に示されるように、「ミニチュア印刷」と類似の画像処理を行う「ソフトフォーカス印刷」や他の類似処理についても、図２（ｃ）のように色空間変換処理を先に行って各種の画像処理を行うように構成してもよい。また本実施例は、各種の画像処理および色空間変換処理の実行、および、これらの処理の実行順序の制御を、情報処理装置（コンピュータ）に実行させる画像処理プログラムを提供することもできる。
【００３８】
以上、本発明の好ましい実施形態について説明したが、本発明はこれらの実施形態に限定されず、その要旨の範囲内で種々の変形及び変更が可能である。
【符号の説明】
【００３９】
１００      印刷装置（画像処理装置）
１０３      システム制御部
１０５      画像処理部
【図１】
0005888974.tif 000002
【図２】
0005888974.tif 000003
【図３】
0005888974.tif 000004
【図５】
0005888974.tif 000005
【図４】
0005888974.tif 000006